(57)【要約】    【課題】      検索する情報量が多くても、意図する情報を容易に抽出すること。    【解決手段】  情報保存処理部１０２は、情報の保存に関わる処理を行う。情報保存部１０３は、情報保存処理部１０２により保存処理される情報を記憶する。通信相手情報取得部１０４は、通信中の通信相手に関する情報を取得する。保存情報検索部１０５は、通信相手情報取得部１０４により取得された通信相手に関する情報をキー情報として、情報保存部１０３内に記憶される情報を検索し、通信相手と関係の深い保存情報を検索し、抽出する。抽出情報再生部１０６は、保存情報検索部１０５により抽出された通信相手と関係の深い被検索情報を出力部１０７を介して再生処理する。  【選択図】      図１
2006080850.tif 000002
【特許請求の範囲】
【請求項１】
通信相手から受信した少なくとも画像情報を含む受信情報を保存する情報保存手段と、
前記画像情報を含む受信情報に関連する通信相手情報を通信相手から取得する通信相手情報取得手段と、
通信相手から受信した前記画像情報を含む受信情報と前記通信相手情報取得手段により取得した前記通信相手情報とを関連させて保存処理する情報保存処理手段と、
を具備することを特徴とする通信端末。
【請求項２】
前記通信相手情報取得手段は、前記画像情報を含む受信情報の保存指示を検出した時、前記通信相手情報を取り込み、前記情報保存手段に保存することを特徴とする請求項１記載の通信端末。
【請求項３】
受信した通信相手先を特定するキー情報に基づき、前記情報保存手段内の情報を検索する検索手段を更に具備することを特徴とする請求項１又は請求項２記載の通信端末。
【請求項４】
前記通信相手情報取得手段は、ポインティングデバイスで指示された領域の画像を認識することを特徴とする請求項１から請求項３の何れかに記載の通信端末。
【請求項５】
通信相手から受信した少なくとも画像情報を含む受信情報をメモリに保存する情報保存ステップと、
前記画像情報を含む受信情報に関連する通信相手情報を通信相手から取得する通信相手情報取得ステップと、
通信相手から受信した前記画像情報を含む受信情報と前記通信相手情報取得ステップにより取得した前記通信相手情報とを関連させて前記メモリに保存処理する情報保存処理ステップと、
を具備することを特徴とする通信方法。
【請求項６】
前記通信相手情報取得ステップは、前記画像情報を含む受信情報の保存指示を検出した時、前記通信相手情報を取り込み、前記メモリに保存することを特徴とする請求項５記載の通信方法。
【請求項７】
受信した通信相手先を特定するキー情報に基づき、前記メモリ内の情報を検索する検索ステップを更に具備することを特徴とする請求項５又は請求項６記載の通信方法。
【請求項８】
前記通信相手情報取得ステップは、ポインティングデバイスで指示された領域の画像を認識することを特徴とする請求項５から請求項７の何れかに記載の通信方法。
【発明の詳細な説明】
【技術分野】
【０００１】
本発明は、テレビ電話、電話などの通信を行う通信端末とその通信方法に関し、特に、テレビ電話などの通信中に、通信相手の画像情報などの受信情報を保存すると共に、保存した情報の検索を容易にした通信端末とその通信方法に関する。
【背景技術】
【０００２】
テレビ電話を用いて通信する際、会話をより楽しくするための支援装置として、例えば、共覧型画面電話方式が提案されている（例えば、特許文献１）。
【０００３】
上記従来の方式は、一般に、各端末が持っている情報が異なるから、通話を開始する前は、各端末が持つデータベースに格納された情報を同じ状態に統一し、この状態で、必要に応じて、データベース内の情報を検索し、検索して得られたデータを各端末に表示することで、会話をスムーズに進行させる支援装置である。
【特許文献１】特開平３−４９３８５号公報
【発明の開示】
【発明が解決しようとする課題】
【０００４】
しかしながら、上記した従来の方式では、検索方法については述べられているものの、検索を迅速に効率的に行う情報保存の方法が考慮されていないという問題がある。
【０００５】
本発明は、かかる点に鑑みてなされたものであり、検索する情報量が多くても、意図する情報を容易に抽出することができる通信端末及とその通信方法を提供することを目的とする。
【課題を解決するための手段】
【０００６】
本発明の通信端末は、通信相手から受信した少なくとも画像情報を含む受信情報を保存する情報保存手段と、前記画像情報を含む受信情報に関連する通信相手情報を通信相手から取得する通信相手情報取得手段と、通信相手から受信した前記画像情報を含む受信情報と前記通信相手情報取得手段により取得した前記通信相手情報とを関連させて保存処理する情報保存処理手段と、を具備する構成を採る。
【０００７】
この構成によれば、通信相手から受信した画像情報を含む受信情報と通信相手情報とを関連させて保存処理するので、通信相手情報を参照して受信情報を検索することができ、検索する情報量が多くても、意図する情報を容易に抽出することができる。
【０００８】
本発明の通信方法は、通信相手から受信した少なくとも画像情報を含む受信情報をメモリに保存する情報保存ステップと、前記画像情報を含む受信情報に関連する通信相手情報を通信相手から取得する通信相手情報取得ステップと、通信相手から受信した前記画像情報を含む受信情報と前記通信相手情報取得ステップにより取得した前記通信相手情報とを関連させて前記メモリに保存処理する情報保存処理ステップと、を具備するようにした。
【０００９】
この方法によれば、通信相手から受信した画像情報を含む受信情報と通信相手情報とを関連させて保存処理するので、通信相手情報を参照して受信情報を検索することができ、検索する情報量が多くても、意図する情報を容易に抽出することができる。
【発明の効果】
【００１０】
本発明によれば、検索する情報量が多くても、意図する情報を容易に抽出することができる。
【発明を実施するための最良の形態】
【００１１】
本発明の骨子は、通信中の相手から受信する少なくとも画像情報を含む受信情報を保存する際、通信中の相手に関する情報を前記画像情報を含む受信情報に関連付けて保存し、保存情報の検索の際、関連付けて保存した情報を検索情報として利用することで、迅速な情報の検索を可能にしたものである。
【００１２】
以下、本発明の実施の形態について図面を参照して詳細に説明する。
【００１３】
（実施の形態１）
図１〜図７は、実施の形態１を説明するための図である。
【００１４】
はじめに、実施の形態１の構成について説明する。
【００１５】
本発明に係る通信システムは、図２に示すように、複数の通信端末（２０１〜２０３）が、通信網２２０を介して接続されている。
【００１６】
本発明の通信端末（２０１〜２０３）は、例えば携帯電話機であり、通信端末（２０１〜２０３）は、基地局（２１１〜２１３）を介して、通信網２２０に接続される。
【００１７】
通信端末１００は、図１に示すように、通信部１０１と、情報保存処理部１０２と、情報保存部１０３と、通信相手情報取得部１０４と、保存情報検索部１０５と、抽出情報再生部１０６と、出力部１０７とを備えている。
【００１８】
通信部１０１は、テレビ電話などの通信を行う機能を有し、発信／着信の呼接続や、映像情報、音情報、テキストベース情報などのデータの送受信を行う。
【００１９】
テキストベース情報は、任意のデータ情報であり、表示されるデータや制御用情報も含まれる。
【００２０】
情報保存処理部１０２は、テレビ電話での再生画像の保存処理や、送受信メールの保存処理や、アドレス帳へのユーザ情報の保存処理等、情報の保存に関わる処理を行う。
【００２１】
情報保存部１０３は、情報保存処理部１０２により保存処理される情報を記憶する。
【００２２】
情報保存部１０３には、通信端末２０１〜２０３の各々に内蔵されたメモリ、具体的には電気的消去型不揮発性メモリ（EEPROM）、読出書込可能な揮発性メモリ（SRAMやDRAM）、磁気メモリ（Hard Disk）のいずれかを使用することができる。また、情報保存部１０３には、通信端末２０１〜２０３に着脱自在な外部記憶装置、例えば、カード型メモリ、スティック型メモリ等を使用することができる。更に、無線網や有線網で構築されたネットワークのサーバの記憶装置を情報保存部１０３として使用することができる。
【００２３】
通信相手情報取得部１０４は、通信中の通信相手に関する情報を取得する。
【００２４】
通信相手に関する情報は、通信相手を一意に特定する識別情報であり、通信相手に関する情報としては、嗜好情報を含む個人情報、通信相手端末での場所に関わる情報や時間に関わる情報などの環境に関わる情報を含むようにしても良い。
【００２５】
保存情報検索部１０５は、通信相手情報取得部１０４により取得された通信相手に関する情報をキー情報（検索用キー情報）として、情報保存部１０３内に記憶される情報を検索し、通信相手と関係の深い保存情報（被検索情報）を検索し、抽出する。
【００２６】
抽出情報再生部１０６は、保存情報検索部１０５により抽出された通信相手と関係の深い被検索情報を出力部１０７を介して再生処理する。
【００２７】
出力部１０７は、映像を表示するディスプレイやスピーカにより構成されている。
【００２８】
従って、抽出情報再生部１０６は、出力部１０７により、抽出された画像情報をディスプレイに表示したり、抽出された音声情報をスピーカにて再生したりする。
【００２９】
従って、通信端末２０１〜２０３は、それぞれ、図１に示した通信部１０１、情報保存処理部１０２、情報保存部１０３、通信相手情報取得部１０４、保存情報検索部１０５、抽出情報再生部１０６、出力部１０７を備えている。
【００３０】
次に、図２に示す通信システムにおける通信方法を、図３〜図７を用いて説明する。
【００３１】
以下の説明では、通信端末２０１と通信端末２０２とが通信し、通信端末２０１が、通信端末２０２から画像情報を含む情報を保存する際、通信中の通信相手に関する情報（人物情報）を取得し、受信した画像情報を含む情報を保存する際、取得した通信相手の人物情報を属性情報として、受信した画像情報に関連づけて保存する例として説明する。
【００３２】
従って、通信端末２０１の情報保存部１０３内に格納された保存情報を検索し抽出する際、人物情報（属性情報）をキー情報として使用することで、検索を迅速に行うことができる。
【００３３】
（１）最初に、テレビ電話にて通信中の通信相手の映像情報とその映像情報に関わる人物情報とを合わせて保存するシーケンスを図３を用いて説明する。
【００３４】
通信端末２０１は、通信端末２０２に対して、テレビ電話での接続要求を行う（ステップＳ３０１）。
【００３５】
通信端末２０２は、テレビ電話での接続要求に対して、許可応答を行う（ステップＳ３０２）。
【００３６】
上述の接続処理後に、テレビ電話通信のデータ伝送設定が行われる。
【００３７】
本発明の通信システムでは、テレビ電話通信には、マルチメディア情報を多重化する標準方式であるＩＴＵ―Ｔ勧告Ｈ．２２３のデータ多重化を利用した第３世代携帯電話規格の３Ｇ−３２４Ｍプロトコルを利用する。
【００３８】
通信端末は、３Ｇ−３２４Ｍプロトコルにより、映像情報を伝送するビデオチャネル及び音情報を伝送するオーディオチャネルに加えて、任意のデータを伝送することが可能なデータ伝送チャネルを開設する。
【００３９】
通信端末は、３Ｇ−３２４Ｍプロトコル開設により、テレビ電話通信が可能となる（ステップＳ３０３）。この時点で、互いの通信端末間で、お互いの映像の表示および音声での会話が可能である。
【００４０】
通信端末２０１と通信端末２０２との通信中（ステップＳ３０３）において、通信端末２０１が通信端末２０２から受信した画像情報を保存する時、通信端末２０１は、通信端末２０２に対して、人物情報の取得要求を行う（ステップＳ３０４）。
【００４１】
通信端末２０２は、通信端末２０１からの人物情報の取得要求により、対象となる人物情報を抽出し、通信端末２０１に送信する（ステップＳ３０５）。
【００４２】
（２）次に、通信端末２０１において、通信相手の画像情報と通信相手に関する人物情報（属性情報）とを関連付けて保存する処理フローを、図５を用いて説明する。
【００４３】
通信端末２０１は、テレビ電話での通話中に、通信相手の映像を表示する（ステップＳ５０１）。
【００４４】
通信端末２０１が、通信端末２０１のユーザからのキー入力操作などによる通信相手の画像情報を保存する指示を検出すると（ステップＳ５０２）、通信相手である通信端末２０２に対して、人物情報の取得要求を行い（図３のステップＳ３０４）、通信端末２０２から通信相手先の人物情報を受信する（ステップＳ５０３）。
【００４５】
通信端末２０１の情報保存処理部１０２は、受信した通信相手の画像情報と、ステップＳ５０３にて取得した通信相手を一意に特定する情報である電話番号を含む人物情報とを関連付けて、通信端末２０１の情報保存部１０３内に保存する（ステップＳ５０４）。
【００４６】
（３）次に、通信端末２０１から人物情報要求を受信する通信端末２０２での処理フローを、図６を参照して説明する。
【００４７】
通信端末２０２は、通信端末２０１とのテレビ電話通信中において、通信相手の画像表示を行う（ステップＳ６０１）。
【００４８】
通信端末２０２は、通信端末２０１から、データ伝送チャネルを介して、人物情報の取得要求を受信する（ステップＳ６０２）。
【００４９】
通信端末２０２は、人物情報の取得要求を受信すると、通信端末２０２の保存情報を参照し、通信端末２０２を使用するユーザの人物情報を抽出した後（ステップＳ６０３）、通信端末２０２は、求められる人物情報を、データ伝送チャネルを介して、通信端末２０１へ送信する（ステップＳ６０４）。
【００５０】
（４）次に、通信端末２０１における保存情報の検索処理フローを図７を参照して説明する。
【００５１】
通信端末２０１は、通信端末２０２とのテレビ電話通信の開設を行い、通信中となる（ステップＳ７０１）。
【００５２】
Ｈ．２２３多重化の中のビデオチャネルを介して受信する通信相手の映像を表示する。また、音声チャネル(オーディオチャネル)を用いて会話を行う。
【００５３】
通信端末２０１は、通信相手である通信端末２０２に対して、データ伝送チャネルを介して、通信相手情報である人物情報の要求を行い（ステップＳ７０２）、通信端末２０２の使用者（ユーザＢ）の人物情報を取得する（ステップＳ７０３）。
【００５４】
従って、通信端末２０２は、通信相手の人物情報として、通信相手を一意に特定する識別情報を取得する。通信相手を一意に特定する識別情報は、電話番号である。
【００５５】
保存情報検索部１０５は、通信相手情報取得部１０４により得られた通信相手を一意に特定する情報である通信相手の人物情報である電話番号を検索用キー情報として、情報保存部１０３に記憶される保存情報を検索する（ステップＳ７０４）。
【００５６】
情報保存部１０３は、画像情報と共に、画像情報に関係付けられる人物情報を属性情報として合わせて記憶している。従って、保存情報検索部１０５は、通信相手であるユーザＢを一意に特定する電話番号を検索用キー情報として、情報保存部１０３内の保存情報からユーザＢに関わる情報を抽出することができる。
【００５７】
そして、抽出情報再生部１０６は、出力部１０７により、抽出された通信相手に関わる情報（被検索情報）を表示する（ステップＳ７０５）。
【００５８】
図４は、通信端末２０１上に表示された画像情報と検索により抽出したデータを表示した例が示されている。
【００５９】
図４においては、上方にはビデオチャネルを介した通信中の相手の映像４０１が表示され、下方には、検索により抽出された通信相手に係る画像情報（被検索情報）４０２が表示されている。
【００６０】
このように、本実施の形態１によれば、通信相手から受信した画像情報を含む受信情報と人物情報等の通信相手情報とを関連させて保存処理するので、通信相手情報を参照して受信情報を検索することができ、検索する情報量が多くても、意図する情報を容易に抽出することができる。
【００６１】
なお、実施の形態１では、通信相手より取得する通信相手に関わる情報は、通信相手を一意に特定する識別情報として人物情報としたが、これに限らず、通信相手に関わる情報は、嗜好情報などを人物情報に含めても良い。
【００６２】
又、通信相手の人物情報として、生年月日、性別、結婚暦、職種、現住所、趣味、趣向等の情報を含み保存することにより、保存情報の検索の際に、その人物情報を利用することにより、検索する情報を、絞り込むことが可能となる。
【００６３】
なお、通信端末は、保存情報の検索において、人物情報として通信相手を一意に識別する情報を用いるのでなく、嗜好情報などを利用する場合には、通信相手に関わる保存情報に限定せずに、検索するように構成すればよい。例えば、好みのアーティスト情報を検索条件として、そのアーティストに関わる情報を検索するように構成しても良い。
【００６４】
上記説明では、人物情報として電話番号を利用して、通信相手を一意に特定する例を示したが、通信相手を一意に特定する識別情報は、電話番号でなくても良く、予め取り決めた規則に基づき付与されたユーザ識別子を利用するように構成しても良い。また、アドレス情報などに登録されているユーザ名やメールアドレス情報などを利用するようにしても良い。
【００６５】
又、上記説明では、通信相手に関わる情報として、人物情報を利用する例を説明したが、人物情報のみでなく、位置情報、時間情報などの環境情報を利用するようにしても良い。例えば、通信端末２０１は、図３の人物情報要求ステップＳ３０４に換えて、環境に関わる情報を要求するように構成しても良い。
【００６６】
環境に関わる情報とは、通信相手である通信端末２０２がおかれている環境状況に関わる情報であり、例えば、緯度／経度情報などの場所に関わる情報や、現在時刻などの時間に関わる情報である。
【００６７】
通信端末２０１が、例えば、場所に関わる情報として位置情報を要求すると、通信端末２０２は、ＧＰＳ機能（図示せず）の位置計測機能を用いて、位置情報の取得を行う。通信端末２０２は、取得した位置情報を、データ伝送チャネルを介して、通信端末２０１へ送信する。
【００６８】
この方法により、通信端末２０１は、通信相手の画像情報の保存に際し、通信相手端末である通信端末２０２の位置情報を属性情報として合わせて記録することが可能となる。通信端末２０１は、後の検索の際に、位置情報を基に関連する情報を抽出することが可能となる。
【００６９】
なお、位置計測機能については、ＧＰＳ機能でなくても良く、位置情報を取得できれば他の方法でも良い。例えば、セルラー網より、位置情報を取得しても良い。
【００７０】
又、場所に関わる情報については、緯度／経度情報でなくても良く、場所に関する情報であれば良い。例えば、郵便番号、住所情報、エリア情報、ランドマーク情報、などでも良い。
【００７１】
又、得られた緯度／経度情報を基に、別形式の場所に関わる情報に変換しても良い。例えば、緯度／経度情報を基に、エリア情報、ランドマーク情報に変換しても良い。
【００７２】
別形式の場所に関わる情報への変換には、場所に関わる情報を要求する側において、行っても良いし、要求された側において、変換しても良い。
【００７３】
また、どの形式の場所に関わる情報が良いかを、要求する側が指定して、場所に関わる情報の要求を行うように構成しても良い。この場合、指定された形式による場所に関わる情報を要求された通信端末は、適切な場所に関わる情報への変換を行い、応答を行う。
【００７４】
なお、通信相手から取得する環境に関する情報は、場所に関する情報に限らず、他の環境に関する情報であっても良い。即ち、環境に関わる情報として、通信相手の時刻情報を取得し、この取得した時刻情報を受信した画像情報に関連づけして保存するようにしても良い。
【００７５】
この場合、通信相手と自端末において、時差がある状況においては、相手環境での時刻を反映して情報を保存することが可能となる。
【００７６】
なお、「受信した画像情報を含む受信情報と人物情報等の通信相手情報とを関連させる」技術的な意味は、ある人物情報（属性情報）とその画像情報が１対１の関係を有する場合、及びある人物情報（属性情報）とその画像情報が１対ｎの関係を有する場合の両方を含み、ある人物情報（属性情報）を抽出した場合、抽出した人物情報（属性情報）に１対１に対応した画像情報、または抽出した人物情報（属性情報）に１対ｎに対応した画像情報が抽出されることを意味している。
【００７７】
（実施の形態２）
実施の形態２では、図１に示す通信端末において、通信相手から受信する画像情報又は音声情報を認識処理することにより、通信相手に関わる情報を得て、その認識情報を受信した画像情報又は音声情報と関連付けて保存する通信方法について、図８、９を用いて説明する。
【００７８】
即ち、図８においては、通信端末２０１と通信端末２０２とが通信し、通信端末２０１が、通信端末２０２から画像情報又は音声情報を含む情報を保存する際、通信相手から受信する画像情報又は音声情報を認識処理することにより、通信相手に関わる特徴を取得し、取得した通信相手に関わる情報を受信した画像情報又は音声情報と関連付けて保存する例として説明する。
【００７９】
先ず、ステップＳ８０１において、通信端末２０１は、実施の形態１と同様に、テレビ電話での通話中に、通信相手の画像を表示する。
【００８０】
次に、通信端末２０１は、ステップＳ８０２において、通信相手から受信する画像情報又は音声情報を記録するための記録指示の検出を行う。
【００８１】
記録指示の検出とは、例えば、ソフトウェアキーやハードウェアキーの押下などによる、ユーザからの記録を指示するキー操作の検出である。
【００８２】
ステップ８０２において、受信する画像情報又は音声情報の保存指示を検出すると、通信端末２０１は、ステップＳ８０３において、通信相手から受信する画像情報又は音声情報の認識処理を行い、通信相手に関わる情報を得る。
【００８３】
次に、通信端末２０１は、ステップＳ８０４において、通信相手から受信する画像情報又は音声情報と、ステップＳ８０３での認識処理により取得した特徴情報に基づく通信相手に関わる通信相手情報（属性情報）とを関連付けて、情報保存部１０３内に保存する。
【００８４】
通信端末２０１の情報保存部１０３内には、画像情報とその画像情報に関係する人物の特徴情報とを合わせて記憶している。又、人物の特徴情報には、音声に関する特徴情報を含んでいるものとする。
【００８５】
次に、ステップＳ８０３における認識処理に関して、受信する映像を認識して、通信相手の人物に関わる情報を得る例を説明する。
【００８６】
通信端末２０１は、情報保存部１０３に複数のユーザを識別する識別情報と、その識別情報にそれぞれ対応する人物の特徴情報を関係付けて記憶している。例えば、ユーザ情報であるアドレス帳の電話番号と対応付けて、各ユーザの顔画像の特徴情報や声の特徴を記憶している。
【００８７】
通信端末２０１による映像の認識処理は、ビデオチャネルを介して受信する映像情報を解析して得る人物の特徴情報と、情報保存部１０３が記憶するユーザ情報に含まれる各ユーザの特徴情報とを比較することにより、通信相手の人物を一意に特定する認識処理を行う。
【００８８】
このように、本実施の形態２によれば、通信相手から受信する画像情報又は音声情報を認識処理することにより、通信相手に関わる特徴を取得し、取得した通信相手に関わる情報を受信した画像情報又は音声情報と関連付けて保存するので、通信相手に関わる情報を参照して受信情報を検索することができ、検索する情報量が多くても、意図する情報を容易に抽出することができる。
【００８９】
なお、本実施の形態では、画像認識として人物に関わる情報を画像認識により抽出する例を示したが、これに限らず、風景に関わる情報を抽出するようにしても良い。
【００９０】
例えば、通信相手の通信端末から受信する画像情報を画像認識するに際し、風景として特徴となる情報、例えば建造物に関する情報を抽出して、受信画像情報と合わせて、その特徴情報を保存する。この場合、保存情報の検索の際に、保存する特徴情報を利用して、保存する情報を検索することが可能となる。例えば、通信相手からの映像情報である風景情報を画像認識により得る特徴情報と、情報保存部に記憶する風景に関する特徴情報とを比較することにより、より関係が深いと判断する情報を提示することが可能となる。また、建造物の特徴情報を検索条件として、関係が深い特徴情報を有する保存情報を検索することができる。
【００９１】
なお、通信端末１００は、ポインティングデバイスにて、表示する相手映像画面の位置を指定することにより、指し示す部分の画像情報を優先して、画像認識するようにしても良い。
【００９２】
このように構成することにより、認識する対象を指定して画像認識することが可能となる。例えば、複数の人物や、人物と建造物の両方が映像として表示されているならば、いずれかをポインティングデバイスにより指し示すことにより、優先する認識対象を指定することが可能となり、受信した画像情報の保存に際し、合わせて記憶する特徴情報を指定することが可能となる。
【００９３】
なお、ポインティングデバイスで指定する相手映像の位置に応じた映像対象に関係付けられる属性情報を、通信相手より取得して、合わせて保存するようにしても良い。このように構成することで、ポインティングデバイスで指し示す対象に関係付けられる属性情報を検索条件として、保存情報の検索に利用することができる。
【００９４】
次に、通信相手の音声を認識することで、通信相手先情報を取得し、取得したキー情報に基づき、保存した情報を検索する例を、図９を参照して、説明する。
【００９５】
この場合も、通信端末２０１は、情報保存部１０３に複数のユーザを識別する識別情報と、その識別情報にそれぞれ対応する人物像に関する特徴情報とを関係付けて記憶している。例えば、ユーザ情報であるアドレス帳の電話番号と対応付けて、各ユーザの声の特徴情報を記憶している。
【００９６】
通信端末２０１による音声の認識処理は、オーディオチャネルを介して受信する音情報のうち、音声情報を分離し、その分離した音声情報を解析して得られる人物の声の特徴情報と、情報保存部１０３内に記憶するユーザ情報に含まれる各ユーザの声の特徴情報とを比較することにより、通信相手の人物を一意に特定する認識処理を行う。
【００９７】
具体的な流れは、以下に示す通りである。
【００９８】
先ず、通信端末２０１は、通信端末２０２に対して、テレビ電話での接続要求を行い、通信端末２０２からの受諾応答を受信すると、Ｈ．２２３多重化を利用した３Ｇ−３２４Ｍプロトコルにより、テレビ電話通信を行う（ステップＳ９０１）。
【００９９】
ビデオチャネルを用いて、映像の送受信を行い、出力部１０７により、相手の映像を表示する（ステップＳ９０２）。また、オーディオチャネルを介して、会話を行う。
【０１００】
通信端末２０１の通信相手情報取得部１０４は、オーディオチャネルを用いた会話において、相手の音声情報を抽出し（ステップＳ９０３）、更に、通信相手情報取得部１０４は、抽出された相手の音声情報の解析を行い、情報保存部１０３に記憶する音声の特徴を保存している音声データベースを参照することにより、通信相手を一意に特定する（ステップＳ９０４）。
【０１０１】
通信端末２０１の保存情報検索部１０５は、特定された通信相手情報に基づき、情報保存部１０３に記憶する保存情報を検索し、通信相手であるユーザＢに関わる情報を抽出する（ステップＳ９０５）。
【０１０２】
通信端末２０１の抽出情報再生部１０６は、抽出されたユーザＢに関係付けられる情報である画像情報を出力部１０７を介して表示する（ステップＳ９０６）。
【０１０３】
勿論、これらのステップは、連続して自動的に実行される。
【０１０４】
なお、音声認識を行うタイミングを制御するユーザインターフェースを設けても良い。例えば、音声認識を行うタイミングを制御するために、ソフトウェアキーや／ハードウェアキーを設けて、予め取り決めたキー押下をきっかけとして、音声認識を行う。また、音声認識を行うタイミングは、通信中に、予め取り決めた任意のタイミングで随時行うようにしても良い。
【０１０５】
音声認識を、随時行う場合、通信相手の端末において、対象ユーザ（端末の使用ユーザ）が変わる場合においても、ユーザは操作なしに、速やかに通信相手となるユーザを再識別することが可能となる。
【０１０６】
なお、通信端末は、音声認識を助ける用語データベースを記憶しておくことにより、音声認識を向上させることが可能となる。
【０１０７】
又、音声認識は、通信相手から受信する音声のみでなく、自端末のユーザの音声認識を行っても良い。
【０１０８】
又、認識する音情報としては、音声情報に限らず、環境音であっても良い。例えば、環境音を認識することにより、通信相手がどんな場所にいるか、どんな状況であるか等の情報を得る。例えば、室内、屋外、車での移動中等であることが区別され、その情報を特徴情報として合わせて保存する。また、特定の場所であること、例えば、コンサート会場であることや、電車に関する音が聞こえる駅であることを認識することができる。このように構成した場合、後に行われる検索の際に、同様な状況の情報を容易に抽出することが可能となる。
【産業上の利用可能性】
【０１０９】
本発明は、特に、携帯電話機、携帯情報端末（ＰＤＡ：Personal Digital Assistant）、ノート型パーソナルコンピュータ、無線ＬＡＮや有線ＬＡＮにより構築されたネットワーク上のパーソナルコンピュータ等の通信端末とその通信方法に用いるのに好適である。
【図面の簡単な説明】
【０１１０】
【図１】本発明の実施の形態１に係る通信端末の構成を示すブロック図
【図２】本発明の実施の形態１に係る通信システムを示す模式図
【図３】本発明の実施の形態１に係る通信相手に関わる情報取得方法を示すシーケンス図
【図４】本発明の実施の形態１に係る再生情報の表示例を示す図
【図５】本発明の実施の形態１に係る受信画像情報の保存方法を示すフロー図
【図６】本発明の実施の形態１に係る通信相手情報要求に対する応答方法を示すフロー図
【図７】本発明の実施の形態１に係る通信相手情報に基づく保存情報の検索方法を示すフロー図
【図８】本発明の実施の形態２に係る画像認識に基づく保存情報の保存方法を示すフロー図
【図９】本発明の実施の形態２に係る音声認識に基づく保存情報の検索方法を示すフロー図
【符号の説明】
【０１１１】
１００、２０１〜２０３  通信端末
１０２  情報保存処理部
１０３  情報保存部
１０４  通信相手情報取得部
１０５  保存情報検索部
１０６  抽出情報再生部
１０７  出力部
２１１〜２１３  基地局
【図１】
2006080850.tif 000003
【図２】
2006080850.tif 000004
【図３】
2006080850.tif 000005
【図４】
2006080850.tif 000006
【図５】
2006080850.tif 000007
【図６】
2006080850.tif 000008
【図７】
2006080850.tif 000009
【図８】
2006080850.tif 000010
【図９】
2006080850.tif 000011